(57)【要約】【課題】電飾部材の取り付けが簡単であって、機種毎の電飾部材の設計が容易で、リサイクル・リユースに適する遊技機を提供する。【解決手段】ＬＥＤ発光演出用の飾り部材は、透光部TK1〜TK7を有すると共に遊技盤M1側に取り付けられる装飾体KZ1〜KZ3と、前面にＬＥＤが設置されると共に裏ユニットM2側に取り付けられるＬＥＤ基板LED1〜LED3とに分割されている。遊技盤M1には、装飾体KZ1〜KZ4を取り付けるための開口部KK1〜KK4が形成され、装飾体KZ1〜KZ3は、開口部KK1〜KK6の前面に透光部TK1〜TK7が重なる様に取り付けられている。ＬＥＤ基板LED1〜LED3は、装飾体KZ1〜KZ4の透光部TK1〜TK7の背後所定範囲をカバーし得る広さを有し、ＬＥＤが、少なくともその一部が透光部TK1〜TK7と重なる様にＬＥＤ基板LED1〜LED3の前面に設置されている。【選択図】  図１
2014008219.tif 000002
【特許請求の範囲】
【請求項１】
センター役物を取り囲む様に形成された遊技領域の所定位置に入賞口が形成されている遊技盤と、前記遊技盤の裏面に取り付けられ、前記入賞口と連絡して球排出通路を形成する裏ユニットとを備え、前記遊技盤の盤面に装着される飾り部材を用いたＬＥＤによる発光演出を実行する様に構成される遊技機において、さらに、以下の構成を備えていることを特徴とする遊技機。
（Ａ１）前記飾り部材は、透光部を有すると共に前記遊技盤側に取り付けられる装飾体と、前面にＬＥＤが設置されると共に前記裏ユニット側に取り付けられるＬＥＤ基板とに分割されていること。
（Ａ２）前記遊技盤には、前記装飾体を取り付けるための開口部が形成され、前記装飾体は、前記開口部の前面に前記透光部が重なる様に取り付けられていること。
（Ａ３）前記ＬＥＤ基板は、前記装飾体の透光部の背後所定範囲をカバーし得る広さを有し、前記ＬＥＤが、少なくともその一部が前記透光部と重なる様に前記ＬＥＤ基板の前面に設置されていること。
【請求項２】
さらに、以下の構成を備えていることを特徴とする請求項１記載の遊技機。
（Ｂ１）前記ＬＥＤ基板は、前記裏ユニットの前面側に着脱可能に設置されていること。
（Ｂ２）前記裏ユニットに対して前記ＬＥＤ基板の前面側に着脱可能に取り付けられ、正面視において前記ＬＥＤ基板の前面に設置されたＬＥＤを一括して覆い隠すことができる広さを有する透光性の前面カバーを備えていること。
【請求項３】
さらに、以下の構成を備えていることを特徴とする請求項２記載の遊技機。
（Ｃ１）前記裏ユニットは、前記ＬＥＤ基板の裏面を当接させ得る支持部材と、前記ＬＥＤ基板を位置決めする位置決め部材とが前方へ突設形成されると共に、前記ＬＥＤ基板の裏面側に突設された配線コネクタに対して裏面側から配線を接続するための開口又は凹所が形成された基板装着部を前面側に備えていること。
（Ｃ２）前記支持部材は、前記位置決め部材で位置決めされた前記ＬＥＤ基板の周縁を裏面側から支持する周縁支持部材を含んでいること。
（Ｃ３）前記前面カバーは、少なくとも前記周縁支持部材で区画された範囲を覆うことのできる広さを有する平板部と、該平板部の裏面側に前記周縁支持部材と対応する様に突設された周壁部とを有し、前記周壁部と前記周縁支持部材との間に前記ＬＥＤ基板の周縁を挟み付ける様に、前記裏ユニットに対して着脱可能に取り付けられていること。
【請求項４】
さらに、以下の構成を備えていることを特徴とする請求項１〜３のいずれか記載の遊技機。
（Ｄ１）前記裏ユニットは、前記センター役物の背後にあたる部分に窓開口又は収納凹所を備えていること。
（Ｄ２）前記ＬＥＤ基板は、矩形形状を呈し、前記窓開口又は収納凹所と前記裏ユニットの縁との間のスペースに、前記裏ユニットの球排出通路を避ける様に取り付けられていること。
【請求項５】
さらに、以下の構成をも備えていることを特徴とする請求項１〜４のいずれか記載の遊技機。
（Ｅ１）前記装飾体が、前記透光部として、透光性を有しない部材で接続された複数個の透光部を備え、前記ＬＥＤ基板が、前記複数個の透光部の背後所定範囲を同時にカバーし得る広さを有し、前記ＬＥＤが、前記複数個の透光部のそれぞれの背後に少なくとも一つ以上が位置する様に前記ＬＥＤ基板の前面に設置されていること。
【請求項６】
さらに、以下の構成をも備えていることを特徴とする請求項１〜５のいずれか記載の遊技機。
（Ｆ１）前記遊技盤には複数個の開口部が形成され、前記飾り部材が、前記複数個の開口部に前記透光部が重なり、かつ、該複数個の開口部の前面を同時に覆う広さを有し、前記ＬＥＤ基板が、前記装飾体で同時に覆われた複数個の開口部の背後所定範囲をカバーし得る広さを有し、前記ＬＥＤが、前記複数個の開口部のそれぞれの背後に少なくとも一つ以上が位置する様に前記ＬＥＤ基板の前面に設置されていること。
【請求項７】
さらに、以下の構成をも備えていることを特徴とする請求項１〜５のいずれか記載の遊技機。
（Ｆ２）前記遊技盤には複数個の開口部が形成され、前記飾り部材として、前記複数個の開口部の個々に対応する複数個の装飾体が取り付けられ、前記ＬＥＤ基板は、前記複数個の装飾体で覆われた複数個の開口部の背後所定範囲をカバーし得る広さを有し、前記ＬＥＤが、前記複数個の開口部のそれぞれの背後に少なくとも一つ以上が位置する様に前記ＬＥＤ基板の前面に設置されていること。
【請求項８】
さらに、以下の構成をも備えていることを特徴とする請求項１〜７のいずれか記載の遊技機。
（Ｇ１）前記ＬＥＤは、前記ＬＥＤ基板の前面側にマトリクス状に縦横ほぼ等間隔で設置されたＬＥＤ群を形成していること。
【請求項９】
さらに、以下の構成を備えていることを特徴とする請求項８記載の遊技機。
（Ｇ２）前記ＬＥＤ基板の前面側にマトリクス状に設置されたＬＥＤ群の内の前記遊技盤の開口部の背後に位置するＬＥＤ群が、１又は２以上の開口部単位に群となり、所定の点灯パターンで点灯する様に、該ＬＥＤ群の位置情報に基づいた点灯パターンを指令する点灯パターン指令手段を備えていること。
【発明の詳細な説明】
【技術分野】
【０００１】
本発明は、遊技機に係り、特に、遊技領域に対して、ＬＥＤによる電飾や発光演出を行う様にした遊技機に関する。
【背景技術】
【０００２】
この種の遊技機として、例えば、特許文献１は、図１４（Ａ）に示す様に、マルチカラーＬＥＤを、右側肩電飾物及び左側肩電飾物に使用し、遊技領域の演出の幅を拡げることを提案している。
【０００３】
特許文献２は、図１４（Ｂ）に示す様に、裏ユニットの裏側から透孔を通してＬＥＤが遊技盤方向に向くようにＬＥＤ基板を配置し、遊技盤の開口部にＬＥＤが臨む様に裏ユニットを遊技盤の裏面に接する様に取り付け、開口部を塞ぐ透光性カバーを介して発光演出を行う様にした遊技機を提案している。
【先行技術文献】
【特許文献】
【０００４】
【特許文献１】特開２００３−１９０４０３（図１〜図３，図９）
【特許文献２】特開２００３−１９０５５３（図２，図９，図１５）
【発明の概要】
【発明が解決しようとする課題】
【０００５】
特許文献１に記載の遊技機では遊技盤への電飾部材の取付が面倒なのに対し、特許文献２の遊技機では電飾部材の取り付けが簡単になるという利点を有している。
【０００６】
しかしながら、特許文献２の遊技機は、電飾部材を構成する透光性カバー、遊技盤の開口及びＬＥＤ基板の三者を１対１で対応する様、機種毎に三者の対応関係を考慮しながら設計し直す必用があり、リサイクル・リユースには十分対応できていない。
【０００７】
そこで、本願は、電飾部材の取り付けが簡単であって、機種毎の電飾部材の設計が容易で、リサイクル・リユースに適する遊技機を提供することを目的とする。
【課題を解決するための手段】
【０００８】
上記目的を達成するためになされた本発明の遊技機の構成を、図１の概念図に基づいて説明する。
【０００９】
本発明の遊技機Ｐは、センター役物ＣＴを取り囲む様に形成された遊技領域ＹＲの所定位置に入賞口ＩＮ１〜ＩＮ３が形成されている遊技盤Ｍ１と、前記遊技盤Ｍ１の裏面に取り付けられ、前記入賞口ＩＮ１〜ＩＮ３と連絡して球排出通路ＯＵＴを形成する裏ユニットＭ２とを備え、前記遊技盤Ｍ１の盤面に装着される飾り部材を用いたＬＥＤによる発光演出を実行する様に構成される遊技機において、さらに、以下の構成を備えていることを特徴とする。
（Ａ１）前記飾り部材は、透光部ＴＫ１〜ＴＫ７を有すると共に前記遊技盤Ｍ１側に取り付けられる装飾体ＫＺ１〜ＫＺ３と、前面にＬＥＤが設置されると共に前記裏ユニットＭ２側に取り付けられるＬＥＤ基板ＬＥＤ１〜ＬＥＤ３とに分割されていること。
（Ａ２）前記遊技盤Ｍ１には、前記装飾体ＫＺ１〜ＫＺ４を取り付けるための開口部ＫＫ１〜ＫＫ４が形成され、前記装飾体ＫＺ１〜ＫＺ３は、前記開口部ＫＫ１〜ＫＫ６の前面に前記透光部ＴＫ１〜ＴＫ７が重なる様に取り付けられていること。
（Ａ３）前記ＬＥＤ基板ＬＥＤ１〜ＬＥＤ３は、前記装飾体ＫＺ１〜ＫＺ４の透光部ＴＫ１〜ＴＫ７の背後所定範囲をカバーし得る広さを有し、前記ＬＥＤが、少なくともその一部が前記透光部ＴＫ１〜ＴＫ７と重なる様に前記ＬＥＤ基板ＬＥＤ１〜ＬＥＤ３の前面に設置されていること。
【００１０】
本発明の遊技機によれば、電飾部材はＬＥＤ基板と一体化せずに、遊技盤Ｍ１側に取り付ける装飾体ＫＺ１〜ＫＺ４と、裏ユニットＭ２側に取り付けるＬＥＤ基板ＬＥＤ１〜ＬＥＤ３とに分かれているので、装飾体ＫＺ１〜ＫＺ４は、それぞれ装飾体単体で設計することができ、ＬＥＤ基板ＬＥＤ１〜ＬＥＤ３は、それぞれＬＥＤ基板単体で設計することができると共に、電飾部材として一体化させる作業が必要なくなり、これら電飾部材のための遊技盤Ｍ１からの配線作業も不要になり、組立作業全体を簡略化することができる。
【００１１】
ここで、本発明の遊技機は、さらに、以下の構成を備えるとよい。
（Ｂ１）前記ＬＥＤ基板ＬＥＤ１〜ＬＥＤ３は、前記裏ユニットＭ２の前面側に着脱可能に設置されていること。
（Ｂ２）前記裏ユニットＭ２に対して前記ＬＥＤ基板ＬＥＤ１〜ＬＥＤ３の前面側に着脱可能に取り付けられ、正面視において前記ＬＥＤ基板ＬＥＤ１〜ＬＥＤ３の前面に設置されたＬＥＤを一括して覆い隠すことができる広さを有する透光性の前面カバーＣＶ１〜ＣＶ３を備えていること。
【００１２】
かかる構成を採用すれば、ＬＥＤ基板の設置のための大きな開口を裏ユニットに形成する必用がなく、裏ユニットの強度を損なわない。また、前面カバーＣＶ１〜ＣＶ３を装着するので、裏ユニットＭ２の前面にＬＥＤ基板ＬＥＤ１〜ＬＥＤ２を取り付けてもＬＥＤが前面に露出した状態とならず、ＬＥＤの損傷を避けることができ、リユース・リサイクルをより効率的に実施できる。
【００１３】
また、この前面カバーを備えた本発明の遊技機は、さらに、以下の構成を備えるとよい。
（Ｃ１）前記裏ユニットＭ２は、前記ＬＥＤ基板ＬＥＤ１〜ＬＥＤ３の裏面を当接させ得る支持部材ＳＪと、前記ＬＥＤ基板ＬＥＤ１〜ＬＥＤ３を位置決めする位置決め部材ＩＫとが前方へ突設形成されると共に、前記ＬＥＤ基板ＬＥＤ１〜ＬＥＤ３の裏面側に突設された配線コネクタに対して裏面側から配線を接続するための開口ＯＰ又は凹所が形成された基板装着部ＫＳ１〜ＫＳ３を前面側に備えていること。
（Ｃ２）前記支持部材ＳＪは、前記位置決め部材ＩＫで位置決めされた前記ＬＥＤ基板ＬＥＤ１〜ＬＥＤ３の周縁を裏面側から支持する周縁支持部材を含んでいること。
（Ｃ３）前記前面カバーＣＶ１〜ＣＶ３は、少なくとも前記周縁支持部材で区画された範囲を覆うことのできる広さを有する平板部と、該平板部の裏面側に前記周縁支持部材と対応する様に突設された周壁部とを有し、前記周壁部と前記周縁支持部材との間に前記ＬＥＤ基板ＬＥＤ１〜ＬＥＤ３の周縁を挟み付ける様に、前記裏ユニットＭ２に対して着脱可能に取り付けられていること。
【００１４】
ＬＥＤ基板ＬＥＤ１〜ＬＥＤ３は、位置決め部材ＩＫによって位置決めし、周縁支持部材と前面カバーＣＶ１〜ＣＶ３の周壁部との間に周縁を挟み付ける様にして取り付けられるので、ＬＥＤ基板ＬＥＤ１〜ＬＥＤ３の取り付け作業が容易であると共に、しっかりとした取り付け状態となるからである。また、支持部材ＳＪで裏面を支持されることにより、ＬＥＤ基板ＬＥＤ１〜ＬＥＤ３の取付状態が安定し、開口ＯＰ又は凹所から配線コネクタへの配線の接続ができるので、大きなＬＥＤ基板を取り付けるための大きな開口を裏ユニットＭ２に形成する必用がない。
【００１５】
また、これら本発明の各遊技機は、さらに、以下の構成を備えるとよい。
（Ｄ１）前記裏ユニットＭ２は、前記センター役物の背後にあたる部分に窓開口ＭＫ又は収納凹所を備えていること。
（Ｄ２）前記ＬＥＤ基板ＬＥＤ１〜ＬＥＤ３は、矩形形状を呈し、前記窓開口ＭＫ又は収納凹所と前記裏ユニットＭ２の縁との間のスペースに、前記裏ユニットＭ２の球排出通路ＯＵＴを避ける様に取り付けられていること。
【００１６】
多くの遊技機の裏ユニットには、センター役物の背後に液晶表示装置を設置するための窓開口が形成されたり、いわゆる羽根物や普通機と言われる機種の様にセンター役物が後方に大きく突出する構造の場合に収納凹所が形成される。これら窓開口や収納凹所は、液晶表示装置の統一化等の理由でほぼ同じ大きさ同じ位置に形成される。また、そもそも、裏ユニットは、球排出通路を形成する役割を持っている。この球排出通路も、障害釘の配置などとの関係から、入賞口の位置は何種類かに区分することができる。そこで、これらを避けて設置する様に設計したＬＥＤ基板ＬＥＤ１〜ＬＥＤ３は、同種の遊技機であれば、そのまま流用することができる可能性がより高まるからである。また、上記構成により、面積の大きな基板を用いてＬＥＤ基板の個数を減らすことができる。また、ＬＥＤ基板のリユース・リサイクルに留まらず、裏ユニット自体を流用したリユース・リサイクルをも可能にすることができる。
【００１７】
これら本発明の各遊技機は、さらに、以下の構成を備えるとよい。
（Ｅ１）前記装飾体ＫＺ３（ＫＺ４）が、前記透光部として、透光性を有しない部材で接続された複数個の透光部ＴＫ３，ＴＫ４（ＴＫ５〜ＴＫ７）を備え、前記ＬＥＤ基板ＬＥＤ２（ＬＥＤ３）が、前記複数個の透光部ＴＫ３，ＴＫ４（ＴＫ５〜ＴＫ７）の背後所定範囲を同時にカバーし得る広さを有し、前記ＬＥＤが、前記複数個の透光部のそれぞれの背後に少なくとも一つ以上が位置する様に前記ＬＥＤ基板ＬＥＤ２（ＬＥＤ３）の前面に設置されていること。
【００１８】
かかる構成を採用することにより、複数個の透光部ＴＫ３，ＴＫ４（ＴＫ５〜ＴＫ７）のそれぞれに個別のＬＥＤ基板を備えさせる必用がなく、部品点数を少なくすることができる。
【００１９】
また、本発明の遊技機は、さらに、以下の構成をも備えたものとすることができる。
（Ｆ１）前記遊技盤Ｍ１には複数個の開口部ＫＫ４〜ＫＫ６が形成され、前記装飾体ＫＺ４が、前記複数個の開口部ＫＫ４〜ＫＫ６に前記透光部ＴＫ５〜ＴＫ７が重なり、かつ、該複数個の開口部ＫＫ４〜ＫＫ６の前面を同時に覆う広さを有し、前記ＬＥＤ基板ＬＥＤ３が、前記装飾体ＫＺ４で同時に覆われた複数個の開口部ＫＫ４〜ＫＫ６の背後所定範囲をカバーし得る広さを有し、前記ＬＥＤが、前記複数個の開口部ＫＫ４〜ＫＫ６のそれぞれの背後に少なくとも一つ以上が位置する様に前記ＬＥＤ基板ＬＥＤ３の前面に設置されていること。
【００２０】
かかる構成を採用することにより、複数個の開口部ＫＫ４〜ＫＫ６のそれぞれに固有のＬＥＤ基板を備えなくてもよく、部品点数を少なくすることができる。また、ＬＥＤ基板ＬＥＤ３は、複数個の開口部ＫＫ４〜ＫＫ６の背後をカバーする広さを有するものであるから、リユース・リサイクルにおいて流用し易くなる。
【００２１】
また、本発明の遊技機は、さらに、以下の構成をも備えたものとすることもできる。
（Ｆ２）前記遊技盤Ｍ１には複数個の開口部ＫＫ２，ＫＫ３が形成され、前記飾り部材として、前記複数個の開口部ＫＫ２，ＫＫ３の個々に対応する複数個の装飾体ＫＺ２，ＫＺ３が取り付けられ、前記ＬＥＤ基板ＬＥＤ２は、前記複数個の装飾体ＫＺ２，ＫＺ３で覆われた複数個の開口部ＫＫ２，ＫＫ３の背後所定範囲をカバーし得る広さを有し、前記ＬＥＤが、前記複数個の開口部ＫＫ２，ＫＫ３のそれぞれの背後に少なくとも一つ以上が位置する様に前記ＬＥＤ基板ＬＥＤ２の前面に設置されていること。
【００２２】
かかる構成を採用することにより、複数個の装飾体ＫＺ２，ＫＺ３のそれぞれに固有のＬＥＤ基板を備えなくてもよく、部品点数を少なくすることができる。また、ＬＥＤ基板ＬＥＤ２は、複数個の開口部ＫＫ２，ＫＫ３の背後をカバーする広さを有するものであるから、リユース・リサイクルにおいて流用し易くなる。
【００２３】
また、本発明の遊技機は、さらに、以下の構成をも備えたものとすることもできる。
（Ｇ１）前記ＬＥＤは、前記ＬＥＤ基板ＬＥＤ１の前面側にマトリクス状に縦横ほぼ等間隔で設置されたＬＥＤ群を形成していること。
【００２４】
かかる構成を採用することにより、装飾体ＫＺ１とＬＥＤ基板ＬＥＤ１の設計をほぼ完全に切り離すことができ、これらの組立も切り離すことができ、ある機種にとっては余分となるＬＥＤを備えていても、流用という観点からは却って有効なものとなる。
【００２５】
なお、マトリクス状のＬＥＤ群を有するＬＥＤ基板ＬＥＤ１を備えた遊技機は、さらに、以下の構成を備える様にするとよい。
（Ｇ２）前記ＬＥＤ基板ＬＥＤ１の前面側にマトリクス状に設置されたＬＥＤ群の内の前記遊技盤の開口部の背後に位置するＬＥＤ群が、１又は２以上の開口部単位に群となり、所定の点灯パターンで点灯する様に、該ＬＥＤ群の位置情報に基づいた点灯パターンを指令する点灯パターン指令手段Ｍ３を備えていること。
【００２６】
マトリクス状のＬＥＤ群を有するＬＥＤ基板ＬＥＤ１を備えた遊技機に（Ｇ２）の構成をも備えさせることにより、ＬＥＤ基板の流用範囲がより拡がるからである。即ち、飾り部材ＫＺ１の透光部ＴＫ１にてドットマトリクス方式で文字や図形を表示するといったさらなる電飾効果を発揮させることもできる。
【００２７】
なお、これら本発明の遊技機は、さらに、以下の構成を備えるとよい。
（Ｈ）前記遊技盤が、不透明な素材で形成されていること。
【００２８】
遊技盤が不透明な素材、例えばベニヤ板、着色プラスチック板、発泡性プラスチック板などで形成されていて、透孔以外の部分は裏面側の光を透過しない構造となっているなら、遊技盤の裏面とＬＥＤ基板の前面の距離がある程度離れていても他の透孔用のＬＥＤ点灯制御による光に邪魔されず、意図した電飾効果を発揮させることができるからである。
【００２９】
また、流用性の高い遊技機用裏ユニットに着目するなら、センター役物を取り囲む様に遊技領域が形成されると共に該遊技領域の所定位置に入賞口が形成されている遊技盤の裏面に取り付けられ、前記入賞口と連絡して球排出通路を形成する裏ユニットであって、以下の構成を備えていることを特徴とするものを用いるとよい。
（Ｉ１）裏ユニット本体には、前記センター役物の背後にあたる部分に窓開口又は後方へ窪んだ収納凹所が形成されると共に、該窓開口又は収納凹所の周囲の前記球排出通路を避ける位置に、ＬＥＤ基板の裏面を当接させ得る支持部材と、該ＬＥＤ基板を位置決めする位置決め部材とが前方へ突設形成された基板装着部が形成され、該基板装着部には前記位置決め部材で位置決めした際に前記ＬＥＤ基板の裏面側に突設された配線コネクタに対して裏面側から配線を接続するための開口又は凹所が形成されていること。
（Ｉ２）前記裏ユニット本体に形成される支持部材は、前記位置決め部材で位置決めされたＬＥＤ基板の周縁を裏面側から支持する周縁支持部材を含んでいること。
（Ｉ３）少なくとも前記周縁支持部材で区画された範囲を覆うことのできる平板部と、該平板部の裏面側に前記周縁支持部材と対応する様に突設された周壁部とを有し、少なくとも前記平板部が透明な素材で形成された前面カバーを、該前面カバーの周壁部と前記裏ユニット本体の周縁支持部材との間に前記ＬＥＤ基板の周縁を挟み付ける様に、前記裏ユニット本体の前面側に着脱可能に取り付けたこと。
【００３０】
上述の構成からなる遊技機用裏ユニットによれば、飾り部材とＬＥＤ基板を別体化することができ、しかもＬＥＤ基板として大きいサイズで種々に流用可能なものを用いることができ、その取り付け作業も容易であって、ＬＥＤ基板が大きいが故に生じ得るＬＥＤの損傷の恐れも回避でき、ＬＥＤ基板のリユース・リサイクルに大いに寄与することができる。
【発明の効果】
【００３１】
本発明によれば、電飾部材の取り付けが簡単であって、機種毎の電飾部材の設計が容易で、遊技機部品のリサイクル・リユースに大いに寄与することができる。
【図面の簡単な説明】
【００３２】
【図１】本発明の構成を概念的に例示する発明概念図である。
【図２】実施例１のパチンコ機を示し、（Ａ）は遊技盤を取り外した状態の斜視図、（Ｂ）は正面図、（Ｃ）は分解斜視図である。
【図３】実施例１を示し、（Ａ）は遊技盤の正面図、（Ｂ）は裏ユニットの正面図である。
【図４】実施例１のパチンコ機の主要な構成部材を正面側から見た分解斜視図である。
【図５】実施例１のパチンコ機の主要な構成部材を背面側から見た分解斜視図である。
【図６】実施例１のパチンコ機の左装飾体を示し、（Ａ）は正面側から見た分解斜視図、（Ｂ）は背面側から見た分解斜視図である。
【図７】実施例１のパチンコ機の右装飾体を示し、（Ａ）は正面側から見た分解斜視図、（Ｂ）は背面側から見た分解斜視図である。
【図８】実施例１のパチンコ機の裏ユニットの正面側から見た分解斜視図である。
【図９】実施例１のパチンコ機の裏ユニットの背面側から見た分解斜視図である。
【図１０】実施例１のパチンコ機の裏ユニットを示し、（Ａ）はＬＥＤ基板を取り外した状態の正面図、（Ｂ）はＬＥＤ基板を装着した状態の正面図、（Ｃ）は前面カバーを装着した状態の正面図である。
【図１１】実施例２のパチンコ機の裏ユニットの正面側から見た分解斜視図である。
【図１２】実施例２のパチンコ機の裏ユニットの背面側から見た分解斜視図である。
【図１３】実施例２のパチンコ機における演出制御を説明する図であって、（Ａ）は制御系統のブロック図、（Ｂ）は演算処理のフローチャートである。
【図１４】従来技術の説明図である。
【発明を実施するための形態】
【００３３】
以下、本発明の実施形態として、具体的な実施例を図面に基づき詳細に説明する。
【実施例１】
【００３４】
［１  遊技機全体の概要］
実施例１のパチンコ機を、図面に基づき詳細に説明する。なお実施例において「左」又は「右」とは、パチンコ機の表側（前面側）から見たときの「左」又は「右」を示すものとする。まず本実施形態のパチンコ機の基本的構成を簡単に説明する。
【００３５】
実施例１のパチンコ遊技機Ｐは、図２に示す様に、外枠Ａ、中枠Ｂ、遊技盤１、前枠Ｄ、上の球受け皿Ｅ、下の球受け皿Ｆ及び打球発射装置Ｇを備えている。外枠Ａはパチンコ機Ｐの外郭を構成する縦長方形の枠である。中枠Ｂは、各種の遊技用構成部材をセットするための縦長方形の枠であって、外枠Ａの前面側に開閉可能かつ着脱可能に組み付けられる。遊技盤１は、中枠（遊技盤取付枠）Ｂの開口部に取り付けられる。前枠Ｄは遊技盤１の透視保護窓であって、施錠装置Ｈの操作によって開閉可能な様に中枠Ｂの前面側に組み付けられる。上の球受け皿Ｅは、貸し球や賞球の受け皿で、本実施例においては前枠Ｄの下部と一体に構成されてる。従って、前枠Ｄを中枠Ｂに対して開閉するときに上の球受け皿Ｅも共に開閉される。下の球受け皿Ｆは、上の球受け皿Ｅが一杯になったときに排出される遊技球や打ち損じの遊技球等を受ける受け皿であって、中枠Ｂの下部に固定されている。打球発射装置Ｇは、上の球受け皿Ｅから発射レールに送り込まれた遊技球をハンドル操作に対応する強さで打ち出すための装置であって、中枠Ｂの右下部に装備される。
【００３６】
中枠Ｂは、上縁をなす上枠部材Ｂ１と、下縁をなし打球発射装置Ｇ等が設置された下枠部材Ｂ２と、左側縁をなす左枠部材Ｂ３と、右側縁をなす右枠部材Ｂ４とから構成されて、これら上下左右の枠部材Ｂ１〜Ｂ４を組み付けた際に、全体が外枠Ａの開口に整合する矩形枠状に形成される。そして、上下左右の枠部材Ｂ１〜Ｂ４を組み付けた際に開口する開口部分が、遊技盤１を設置する遊技盤保持部Ｂ５として機能する。ここで、中枠Ｂは、外枠Ａの左上端部及び左下端部に設けられた支軸を介して枢支され、左側端部を中心として中枠Ｂを回転させることで外枠Ａに対して中枠Ｂを開閉し得るようになっている。
【００３７】
［２  遊技盤の概要］
本実施例において、遊技盤１はベニヤで構成され、図３〜図５に示す様に、羽根物タイプのセンター役物１０を取り囲む様に形成された遊技領域２の下部に取り付けられた始動入賞口３１〜３３と、左右の装飾体４０，５０と、下部装飾体６０と、障害釘や風車などを備えている。この左右の装飾体４０，５０には普通入賞口３４，３５が備えられ、下部装飾体６０の左右にに位置する普通入賞口３６，３７も備えられている。また、センター役物１０自体も入賞口として機能する。遊技盤１の裏面には、これら入賞口３１〜３７及びセンター役物１０と連絡して球排出通路１１３を形成する裏ユニット１００が取り付けられている。
【００３８】
遊技盤１には、透光部を有する左右の装飾体３０，４０を取り付けるための開口部４，５が形成されている。なお、図５に示す様に、下部装飾体６０は、遊技盤１の開口部６に前面側から取り付けられると共に、目玉状の透光部６５が形成されている。これら左右の装飾体３０，４０及び下部装飾体６０は、単なる意匠体としてだけでなく、背面側からのＬＥＤ発光演出を実行可能な装飾体となっている。
【００３９】
［３  左右の装飾体］
左右の装飾体４０，５０は、図６，図７に示す様に、合成樹脂製の成形体を組み立てた意匠体として構成され、図４，図５に示す様に、遊技盤１の開口部４，５に対して前面側から取り付けられる。
【００４０】
左装飾体４０は、図６に示す様に、装飾体ベース４１の背面側に裏蓋部材４２を装着すると共に、前面側に、光拡散部材４３、内枠部材４４、透光部材４５、及び外枠部材４６を装着した組立体として構成されている。装飾体ベース４１には、これら部品の他に、普通入賞口３４を構成する普通入賞口構成部材４７、前面装飾部材４８及びレンズ部材４９ｐ〜４９ｔも装着される。
【００４１】
これら部品の内、装飾体ベース４１、裏蓋部材４２、内枠部材４４、外枠部材４６、普通入賞口構成部材４７、及び前面装飾部材４８は、光を透過しない様に着色・メッキ等が施された合成樹脂成形体で構成されている。一方、光拡散部材４３、透光部材４５、及びレンズ部材４９ｐ〜４９ｔは、光透過性を有する合成樹脂成形体で構成されている。
【００４２】
装飾体ベース４１には、前面プレート４１ａの縁からやや内側に入った位置に縁枠４１ｂが後方に向かって突設されている。また、前面プレート４１ａには、複数の貫通孔４１ｃ〜４１ｈ，４１ｐ〜４１ｔが貫通形成されている。レンズ部材４９ｐ〜４９ｔは、それぞれ貫通孔４１ｐ〜４１ｔに背面側から嵌め込まれる様にして装着される。また、普通入賞口構成部材４７が、縁枠４１ｂの所定位置に形成された普通入賞口嵌合部４１ｕに嵌め込まれる様にして装着される。
【００４３】
裏蓋部材４２は、背面プレート４２ａの縁からやや内側に入った位置に縁枠４２ｂが前方に向かって突設されている。この裏蓋部材４２の縁枠４２ｂは、装飾体ベース４１の縁枠４１ａの内側に嵌合される寸法となっている。背面プレート４２ａには、装飾体ベース４１の貫通孔４１ｃ〜４１ｈ，４１ｐ〜４１ｔと重なる様に、それぞれに対応する貫通孔４２ｃ〜４２ｈ、凹部４２ｐ、貫通孔４２ｑ〜４２ｔも形成されている。レンズ部材４９ｐ〜４９ｔは、装飾体ベース４１の貫通孔４１ｐ〜４１ｔと、裏蓋部材４２の凹部４２ｐ、貫通孔４２ｑ〜４２ｔとの間に挟まれる様にして嵌め込まれる。
【００４４】
光拡散部材４３は、装飾体ベース４１の貫通孔４１ｃ〜４１ｈの全体に対し、これらよりも外へ若干はみ出す寸法・形状とされている。
【００４５】
内枠部材４４は、この光拡散部材４３の周縁に沿った形状に形成された周壁４４ａと、装飾体ベース４１の貫通孔４１ｃ〜４１ｈの間の非貫通部分に対応して周壁４４ａの内側に渡された内部壁４４ｂとを備え、周壁４４ａと内部壁４４ｂとによって、装飾体ベース４１の貫通孔４１ｃ〜４１ｈと対応する開口部４４ｃ〜４４ｈが形成されたものとなっている。
【００４６】
光拡散部材４３は、この内枠部材４４と装飾体ベース４１の前面プレート４１ａとの間に挟まれつつ貫通孔４１ｃ〜４１ｈの前面を覆う様に装着される。
【００４７】
透光部材４５は、内枠部材４４の周壁４４ａの前面に当接する縁部４５ａと、この縁部４５ａから前方へ膨らむ様に形成された膨出文字部４５ｃ〜４５ｈとを備えている。膨出文字部４５ｃ〜４５ｈは、内枠部材４４の開口部４４ｃ〜４４ｈと対応する位置関係となっている。
【００４８】
外枠部材４６は、内枠部材４４の周壁４４ａに対して外嵌する周壁４６ａと、この周壁４６ａの前面側において、透光部材４５の膨出文字部４５ｃ〜４５ｈを個々に臨ませる様に形成された文字露出窓４６ｃ〜４６ｈを備える前面縁４６ｂとを備えている。
【００４９】
透光部材４５は、その膨出文字部４５ｃ〜４５ｈを外枠部材４６の文字露出窓４６ｃ〜４６ｈから前方に臨ませる様に、内枠部材４４と外枠部材４６の間に挟み込まれる様にして装着される。
【００５０】
右装飾体５０は、図７に示す様に、装飾体ベース５１の背面側に裏蓋部材５２を装着すると共に、前面側に、光拡散部材５３、内枠部材５４、透光部材５５、及び外枠部材５６を装着した組立体として構成されている。装飾体ベース５１には、これら部品の他に、普通入賞口３５を構成する普通入賞口構成部材５７、前面装飾部材５８及びレンズ部材５９ｐ〜５９ｔも装着される。
【００５１】
これら部品の内、装飾体ベース５１、裏蓋部材５２、内枠部材５４、外枠部材５６、普通入賞口構成部材５７、及び前面装飾部材５８は、光を透過しない様に着色・メッキ等が施された合成樹脂成形体で構成されている。一方、光拡散部材５３、透光部材５５、及びレンズ部材５９ｐ〜５９ｔは、光透過性を有する合成樹脂成形体で構成されている。
【００５２】
装飾体ベース５１には、前面プレート５１ａの縁からやや内側に入った位置に縁枠５１ｂが後方に向かって突設されている。また、前面プレート５１ａには、複数の貫通孔５１ｃ〜５１ｈ，５１ｐ〜５１ｔが貫通形成されている。レンズ部材５９ｐ〜５９ｔは、それぞれ貫通孔５１ｐ〜５１ｓに背面側から嵌め込まれる様にして装着される。また、普通入賞口構成部材５７が、縁枠５１ｂの所定位置に形成された普通入賞口嵌合部５１ｕに嵌め込まれる様にして装着される。
【００５３】
裏蓋部材５２は、背面プレート５２ａの縁からやや内側に入った位置に縁枠５２ｂが前方に向かって突設されている。この裏蓋部材５２の縁枠５２ｂは、装飾体ベース５１の縁枠５１ａの内側に嵌合される寸法となっている。背面プレート５２ａには、装飾体ベース５１の貫通孔５１ｃ〜５１ｈ，５１ｐ〜５１ｔと重なる様に、それぞれに対応する貫通孔５２ｃ〜５２ｆ、凹部５２ｇ、貫通孔５２ｈ，５２ｐ、凹部５２ｑ、貫通孔５２ｒ〜５２ｔも形成されている。レンズ部材５９ｐ〜５９ｔは、装飾体ベース５１の貫通孔５１ｐ〜５１ｔと、裏蓋部材５２の貫通孔５２ｃ〜５２ｆ、凹部５２ｇ、貫通孔５２ｈ，５２ｐ、凹部５２ｑ、貫通孔５２ｒ〜５２ｔとの間に挟まれる様にして嵌め込まれる。
【００５４】
光拡散部材５３は、装飾体ベース５１の貫通孔５１ｃ〜５１ｈの全体に対し、これらよりも外へ若干はみ出す寸法・形状とされている。
【００５５】
内枠部材５４は、この光拡散部材５３の周縁に沿った形状に形成された周壁５４ａと、装飾体ベース５１の貫通孔５１ｃ〜５１ｈの間の非貫通部分に対応して周壁５４ａの内側に渡された内部壁５４ｂとを備え、周壁５４ａと内部壁５４ｂとによって、装飾体ベース５１の貫通孔５１ｃ〜５１ｈと対応する開口部５４ｃ〜５４ｈが形成されたものとなっている。
【００５６】
光拡散部材５３は、この内枠部材５４と装飾体ベース５１の前面プレート５１ａとの間に挟まれつつ貫通孔５１ｃ〜５１ｈの前面を覆う様に装着される。
【００５７】
透光部材５５は、内枠部材５４の周壁５４ａの前面に当接する縁部５５ａと、この縁部５５ａから前方へ膨らむ様に形成された膨出文字部５５ｃ〜５５ｈとを備えている。膨出文字部５５ｃ〜５５ｈは、内枠部材５４の開口部５４ｃ〜５４ｈと対応する位置関係となっている。
【００５８】
外枠部材５６は、内枠部材５４の周壁５４ａに対して外嵌する周壁５６ａと、この周壁５６ａの前面側において、透光部材５５の膨出文字部５５ｃ〜５５ｈを個々に臨ませる様に形成された文字露出窓５６ｃ〜５６ｈを備える前面縁５６ｂとを備えている。
【００５９】
透光部材５５は、その膨出文字部５５ｃ〜５５ｈを外枠部材５６の文字露出窓５６ｃ〜５６ｈから前方に臨ませる様に、内枠部材５４と外枠部材５６の間に挟み込まれる様にして装着される。
【００６０】
［４  裏ユニット及びＬＥＤ基板］
裏ユニット１００は、図３〜図５，図８〜図１０に示す様に、遊技盤１の内側に収まる縁枠１１１が前方に突設形成された裏ユニット本体１１０の前面側に、左右の装飾体４０，５０の背後に位置するＬＥＤ基板１２０，１３０を装着したものとなっている。
【００６１】
また、裏ユニット本体１１０には、センター役物１０の背後にあたる部分に後方へ窪んだ収納凹所１１２が形成されると共に、球排出通路１１３が設けられている。ＬＥＤ基板１２０，１３０は、裏ユニット本体１１０の収納凹所１１２と縁枠１１１との間で球排出通路１１３を避ける位置に取り付けられる。
【００６２】
裏ユニット本体１１０の前面には、図８〜図１０に示す様に、ＬＥＤ基板１２０，１３０の裏面を当接させ得る支持部材１１４と、ＬＥＤ基板１２０，１３０を位置決めする位置決め部材１１５とが前方へ突設形成された基板装着部１１６を備えている。そして、この基板装着部１１６には位置決め部材１１５で位置決めした際にＬＥＤ基板１２０，１３０の裏面側に突設された配線コネクタ１２１，１３１に対して裏面側から配線を接続するための凹所１１７，１１８が形成されている。また、支持部材１１４の周囲は、位置決め部材１１５で位置決めされたＬＥＤ基板１２０，１３０の周縁を裏面側から支持する周縁支持部材１１９とされている。そして、ＬＥＤ基板１２０，１３０の前面を覆い隠す様に、透明な合成樹脂で形成された前面カバー１５０，１６０が装着される。
【００６３】
ＬＥＤ基板１２０，１３０は矩形形状とされ、基板装着部１１６に突設された位置決め部材１１５を挿通して位置決めする位置決め孔１２２，１３２が貫通形成されると共に、前面カバー１５０，１６０との位置決め用貫通孔１２３，１３３も形成されている。なお、ＬＥＤ基板１２０，１３０の裏面下部中央には、前述の配線コネクタ１２１，１３１が突設されている。また、ＬＥＤ基板１２０，１３０の前面側には、左右の装飾体４０，５０の透光性を有する部分に対応する様に配置されたＬＥＤ１２４，１３４が取り付けられている。
【００６４】
前面カバー１５０，１６０は、ＬＥＤ基板１２０，１３０と寸法・形状を同一にする平板部１５１，１６１と、平板部１５１，１６１の縁に沿って後方に突設された周壁部１５２，１６２とを有すると共に、ＬＥＤ基板１２０，１３０の位置決め用貫通孔１２３，１３３に嵌合する円筒部１５３，１６３が後方に向かって突設されている。また、前面カバー１５０，１６０の平板部１５１，１６１には、基板装着部１１６の位置決め部材１１５の先端位置と対応する様にネジ挿通孔１５４，１６４も形成されている。前面カバー１５０，１６０は、このネジ挿通孔１５４，１６４を介して、裏ユニット１００の位置決め部材１１５の先端にネジ止めされることにより、ＬＥＤ基板１２０，１３０の周縁を、その周壁部１５２，１６２と基板装着部１１６の周縁支持部材１１９との間に挟み付ける様にして裏ユニット１００に前面側から着脱可能に取り付けられる。
【００６５】
なお、裏ユニット１００の前面側には、下部装飾体６０のためにも、ＬＥＤ基板１２０，１３０と同様に、裏ユニット本体１１０の前面に設けられた基板装着部の支持部材及び周縁支持部材によって裏面側を支持されると共に、前面側を前面カバー１７０で覆われた下部装飾体６０用のＬＥＤ基板１４０も取り付けられている。この下部装飾体用のＬＥＤ基板１４０は、下部装飾体６０の透光部の形状と対応する形状にされ、前面側にＬＥＤが取り付けられたものとなっている。また、裏面側には配線コネクタが突設され、基板装着部にはこの配線コネクタへと配線を接続するための凹所も設けられている。
【００６６】
［実施例１と本発明との対応］
実施例１の遊技機は、センター役物１０を取り囲む様に形成された遊技領域２の所定位置に入賞口３１〜３５が形成されている遊技盤１と、前記遊技盤１の裏面に取り付けられ、前記入賞口３１〜３５と連絡して球排出通路１１３を形成する裏ユニット１００とを備え、前記遊技盤１の盤面に装着される飾り部材を用いたＬＥＤによる発光演出を実行する様に構成される遊技機において、さらに、以下の構成を備えている。
（Ａ１）前記飾り部材は、透光部４５，５５，６５を有すると共に前記遊技盤１側に取り付けられる装飾体４０〜６０と、前面にＬＥＤが設置されると共に前記裏ユニット１００側に取り付けられるＬＥＤ基板１２０〜１４０とに分割されていること。
（Ａ２）前記遊技盤１には、前記装飾体４０〜６０を取り付けるための開口部４〜６が形成され、前記装飾体４０〜６０は、前記開口部４〜６の前面に前記透光部４５，５５，６５が重なる様に取り付けられていること。
（Ａ３）前記ＬＥＤ基板１２０〜１４０は、前記装飾体２０〜４０の透光部４５，５５，６５の背後所定範囲をカバーし得る広さを有し、前記ＬＥＤが、少なくともその一部が前記透光部４５，５５，６５と重なる様に前記ＬＥＤ基板１２０〜１４０の前面に設置されていること。
【００６７】
実施例１の遊技機によれば、電飾部材はＬＥＤ基板１２０〜１４０と一体化せずに、遊技盤１側に取り付ける装飾体４０〜６０と、裏ユニット１００側に取り付けるＬＥＤ基板１２０〜１４０とに分かれているので、装飾体４０〜６０は装飾体単体で設計することができ、ＬＥＤ基板１２０〜１４０は、それぞれＬＥＤ基板単体で設計することができると共に、電飾部材として一体化させる作業が必要なくなり、これら電飾部材のための遊技盤１からの配線作業も不要になり、組立作業全体を簡略化することができる。
【００６８】
実施例１の遊技機は、さらに、以下の構成を備えている。
（Ｂ１）前記ＬＥＤ基板１２０〜１４０は、前記裏ユニット１００の前面側に着脱可能に設置されていること。
（Ｂ２）前記裏ユニット１００に対して前記ＬＥＤ基板１２０〜１４０の前面側に着脱可能に取り付けられ、正面視において前記ＬＥＤ基板１２０〜１４０の前面に設置されたＬＥＤを一括して覆い隠すことができる広さを有する透光性の前面カバー１５０〜１７０を備えていること。
【００６９】
この結果、実施例１の遊技機によれば、ＬＥＤ基板１２０〜１４０の設置のための大きな開口を裏ユニット１００に形成する必用がなく、裏ユニット１００の強度を損なわない。また、前面カバー１５０〜１７０を装着するので、裏ユニット１００の前面にＬＥＤ基板１２０〜１４０を取り付けてもＬＥＤが前面に露出した状態とならず、ＬＥＤの損傷を避けることができ、リユース・リサイクルをより効率的に実施できる。
【００７０】
実施例１の遊技機は、さらに、以下の構成を備えている。
（Ｃ１）前記裏ユニット１００は、前記ＬＥＤ基板１２０等の裏面を当接させ得る支持部材１１４と、前記ＬＥＤ基板１２０等を位置決めする位置決め部材１１５とが前方へ突設形成されると共に、前記ＬＥＤ基板１２０等の裏面側に突設された配線コネクタ１２１等に対して裏面側から配線を接続するための凹所１１７等が形成された基板装着部１１６を前面側に備えていること。
（Ｃ２）前記支持部材１１４は、前記位置決め部材１１５で位置決めされた前記ＬＥＤ基板１２０等の周縁を裏面側から支持する周縁支持部材１１９を含んでいること。
（Ｃ３）前記前面カバー１５０等は、少なくとも前記周縁支持部材１１９で区画された範囲を覆うことのできる広さを有する平板部１５１等と、該平板部１５１等の裏面側に前記周縁支持部材１１９と対応する様に突設された周壁部１５２等とを有し、前記周壁部１５２等と前記周縁支持部材１１９との間に前記ＬＥＤ基板１２０等の周縁を挟み付ける様に、前記裏ユニット１００に対して着脱可能に取り付けられていること。
【００７１】
この結果、実施例１の遊技機によれば、ＬＥＤ基板１２０等は、位置決め部材１１５によって位置決めし、周縁支持部材１１９と前面カバー１５０等の周壁部１５２等との間に周縁を挟み付ける様にして取り付けられるので、ＬＥＤ基板１２０等の取り付け作業が容易であると共に、しっかりとした取り付け状態となる。また、支持部材１１４で裏面を支持されることにより、ＬＥＤ基板ＬＥ１２０等の取付状態が安定し、凹所１１９から配線コネクタ１２１等への配線の接続ができるので、大きなＬＥＤ基板１２０，１３０を取り付けるための大きな開口を裏ユニット１００に形成する必用がない。
【００７２】
また、実施例１の遊技機は、さらに、以下の構成を備えている。
（Ｄ１）前記裏ユニット１００は、前記センター役物１０の背後にあたる部分に収納凹所１１２を備えていること。
（Ｄ２）前記ＬＥＤ基板１２０，１３０は、矩形形状を呈し、前記収納凹所１１２と前記裏ユニット１００の縁枠１１１との間のスペースに、前記裏ユニット１００の球排出通路１１３を避ける様に取り付けられていること。
【００７３】
従って、実施例１の遊技機は、羽根物タイプの遊技機であれば、ＬＥＤ基板１２０，１３０及び裏ユニット１００を、そのまま流用することができる可能性が高く、面積の大きな基板１２０，１３０を用いているのでＬＥＤ基板の個数を減らすことができる。
【００７４】
さらに、実施例１の遊技機は、以下の構成も備えている。
（Ｅ１）前記装飾体４０，５０が、前記透光部４５，５５として、透光性を有しない部材（装飾体ベース４１等）で接続された複数個の透光部（膨出文字部４５ｃ等）を備え、前記ＬＥＤ基板１２０，１３０が、前記複数個の透光部（膨出文字部４５ｃ等）の背後所定範囲を同時にカバーし得る広さを有し、前記ＬＥＤが、前記複数個の透光部（膨出文字部４５ｃ等）のそれぞれの背後に少なくとも一つ以上が位置する様に前記ＬＥＤ基板１２０，１３０の前面に設置されていること。
【００７５】
従って、実施例１の遊技機によれば、複数個の透光（膨出文字部４５ｃ等）のそれぞれに個別のＬＥＤ基板を備えさせる必用がなく、部品点数を少なくすることができる。
【実施例２】
【００７６】
次に、実施例２を説明する。実施例２の遊技機は、実施例１と同様の構成であるが、図１１，図１２に示す様に、左右の装飾体４０，５０の背後位置に取り付けられるＬＥＤ基板２２０，２３０が、前面側にＬＥＤ２２４，２３４がマトリクス状に縦横ほぼ等間隔で設置されたＬＥＤ群を形成している。
【００７７】
かかる構成を採用することにより、左右の装飾体４０，５０とＬＥＤ基板２２０，２３０の設計をほぼ完全に切り離すことができ、これらの組立も切り離すことができ、ある機種にとっては余分となるＬＥＤを備えていても、流用という観点からは却って有効なものとなる。
【００７８】
次に、本実施例のパチンコ機Ｐにおける制御系統について図１３に基づき説明する。パチンコ機Ｐの裏ユニット１００の裏面側には、制御装置として、メイン制御基板３１０と、サブ制御基板３２０とが備えられている。
【００７９】
サブ制御基板３２０は、図１３（Ａ）に示す制御系統により、メイン制御基板３１０からの演出コマンドに対応する演出パターンに従って、ＬＥＤ基板２２０〜２４０に対して制御信号を出力して発光演出によりデモ演出、小当たり遊技演出、特別遊技演出をそれぞれ実行する。
【００８０】
この特別遊技は、図１３（Ｂ）示す様な演算処理ルーチンとして実行され、メイン制御基板３１０からの新たな演出指令コマンドが入力されたか否かを判定し（Ｓ１０）、「ＹＥＳ」の場合は、演出の内容（デモ演出、小当たり遊技演出、特別遊技演出）を特定し（Ｓ２０）、対応する演出制御データをＲＯＭから読み出し（Ｓ３０）、ＬＥＤ基板２２０等に対して制御データを出力し（Ｓ４０）、Ｓ１０に戻る。
【００８１】
実施例２の遊技機は、マトリクス状に設置されたＬＥＤ群の内の遊技盤１の開口部の背後に位置するＬＥＤ群が、開口部単位に群となり、所定の点灯パターンで点灯する様に、ＬＥＤ群の位置情報に基づいた点灯パターンをサブ制御基板３２０がＬＥＤ基板２２０，２３０に対して出力することにより、流用範囲の広いリユース・リサイクルを可能ならしめている。
【００８２】
また、マトリクス状に設置されたＬＥＤ群に対し、始動口入賞時の開閉部材１２ａ，１２ｂの開閉制御において特別入賞領域に入賞した場合のラウンド数、高継続状態の有無等を表現した点灯パターンをサブ制御基板３２０に出力させる様にしてもよい。
【００８３】
なお、実施例１，実施例２の遊技機は、遊技盤１が、不透明な素材（ベニヤ）で形成されているから、開口以外の部分は裏面側の光を透過しない構造となり、遊技盤の裏面とＬＥＤ基板の前面の距離がある程度離れていても他の開口用のＬＥＤ点灯制御による光に邪魔されず、意図した電飾効果を発揮させることができる。
【００８４】
この様に、実施例１，実施例２によれば、電飾部材の取り付けが簡単であって、機種毎の電飾部材の設計が容易で、遊技機部品のリサイクル・リユースに大いに寄与することができる遊技機を提供することができる。
【００８５】
以上、発明を実施するための実施例を説明したが、本発明は、これらに限定されるものではなく、その要旨を逸脱しない範囲内における種々の変更が可能である。
【００８６】
例えば、羽根物と呼ばれる遊技機に限らず、デジパチと呼ばれる遊技機、権利物と呼ばれる遊技機はもちろん、抽選機能を有しない普通機と呼ばれるタイプの遊技機にも適用できることはもちろんである。
【００８７】
また、図１を用いて説明した様に、一つのＬＥＤ基板が、遊技盤の複数の開口部の背後に位置し、各開口部に装着された各装飾体の透光部を介して、当該一つのＬＥＤ基板にて発光演出を行う様にすることもできるし、これら複数の開口部には一つの装飾体であって各開口部に対応する透光部を備えたものに対して、ＬＥＤ発光演出をするものとして構成することもできる。
【００８８】
加えて、ＬＥＤ基板と開口部及び透光部との位置関係は、ＬＥＤ基板が開口部及び透光部の背後所定範囲に重なりさえすればよい。特に、マトリクス状にＬＥＤ群を配置したＬＥＤ基板を用いる場合は、点灯パターンの制御情報を変更するだけで、前方の装飾体による発光演出を実行できるから、この様な構成とするのに適し、装飾体を個々の遊技機に対応した個別の設計とした場合も、ＬＥＤ基板や裏ユニットの流用がより一層容易となる。
【産業上の利用可能性】
【００８９】
本発明はパチンコ機に利用することができる。
【符号の説明】
【００９０】
Ｍ１・・・遊技盤
ＣＴ・・・センター役物
ＹＲ・・・遊技領域
ＩＮ１〜ＩＮ３・・・入賞口
ＫＫ１〜ＫＫ４・・・開口部
Ｍ２・・・裏ユニット
ＳＪ・・・支持部材
ＩＫ・・・位置決め部材
ＯＰ・・・開口
ＯＵＴ・・・球排出通路
ＫＺ１〜ＫＺ４・・・装飾体
ＴＫ１〜ＴＫ７・・・透光部
ＬＥＤ１〜ＬＥＤ３・・・ＬＥＤ基板
ＣＶ１〜ＣＶ３・・・前面カバー
ＫＳ１〜ＫＳ３・・・基板装着部
ＭＫ・・・窓開口
Ｐ・・・パチンコ遊技機
Ａ・・・外枠
Ｂ・・・中枠
Ｄ・・・前枠
Ｅ・・・上の球受け皿
Ｆ・・・下の球受け皿
Ｇ・・・打球発射装置
Ｈ・・・施錠装置
Ｂ１・・・上枠部材
Ｂ２・・・下枠部材
Ｂ３・・・左枠部材
Ｂ４・・・右枠部材
Ｂ５・・・遊技盤保持部
１・・・遊技盤
２・・・遊技領域
４，５，６・・・開口部
１０・・・センター役物
３４，３５・・・普通入賞口
３１〜３５・・・始動入賞口
６０・・・下部装飾体
６５・・・透光部
４０・・・左装飾体
４１・・・装飾体ベース
４１ａ・・・前面プレート
４１ｂ・・・縁枠
４１ｃ〜４１ｈ，４１ｐ〜４１ｓ・・・貫通孔
４１ｕ・・・普通入賞口嵌合部
４２・・・裏蓋部材
４２ａ・・・背面プレート
４２ｂ・・・縁枠
４２ｃ〜４２ｈ，４２ｑ〜４２ｔ・・・貫通孔
４２ｐ・・・凹部
４３・・・光拡散部材
４４・・・内枠部材
４４ａ・・・周壁
４４ｂ・・・内部壁
４４ｃ〜４４ｈ・・・開口部
４５・・・透光部材
４５ａ・・・縁部
４５ｃ〜４５ｈ・・・膨出文字部
４６・・・外枠部材
４６ａ・・・周壁
４６ｂ・・・前面縁
４６ｃ〜４６ｈ・・・文字露出窓
４７・・・普通入賞口構成部材
４８・・・前面装飾部材
４９ｐ〜４９ｔ・・・レンズ部材
５０・・・右装飾体
５１・・・装飾体ベース
５１ａ・・・前面プレート
５１ｂ・・・縁枠
５１ｃ〜５１ｈ，５１ｐ〜５１ｔ・・・貫通孔
５１ｕ・・・普通入賞口嵌合部
５２・・・裏蓋部材
５２ａ・・・背面プレート
５２ｂ・・・縁枠
５２ｃ〜５２ｆ，５２ｈ，５２ｐ，５２ｒ〜５２ｔ・・・貫通孔
５２ｇ，５２ｑ・・・凹部
５３・・・光拡散部材
５４・・・内枠部材
５４ａ・・・周壁
５４ｂ・・・内部壁
５４ｃ〜５４ｈ・・・開口部
５５・・・透光部材
５５ａ・・・縁部
５５ｃ〜５５ｈ・・・膨出文字部
５６・・・外枠部材
５６ａ・・・周壁
５６ｂ・・・前面縁
５６ｃ〜５６ｈ・・・文字露出窓
５７・・・普通入賞口構成部材
５８・・・前面装飾部材
５９ｐ〜５９ｓ・・・レンズ部材
１００・・・裏ユニット
１１０・・・裏ユニット本体
１１１・・・縁枠
１１２・・・収納凹所
１１３・・・球排出通路
１１４・・・支持部材
１１５・・・位置決め部材
１１６・・・基板装着部
１１７，１１８・・・凹所
１１９・・・周縁支持部材
１２０，１３０，１４０・・・ＬＥＤ基板
１２１，１３１・・・配線コネクタ
１２２，１３２・・・位置決め孔
１２３，１３３・・・位置決め用貫通孔
１２４，１３４・・・ＬＥＤ
１５０，１６０，１７０・・・前面カバー
１５１，１６１・・・平板部１５１，１６１
１５２，１６２・・・周壁部
１５３，１６３・・・円筒部
１５４，１６４・・・ネジ挿通孔
２２０，２３０・・・ＬＥＤ基板
２２４，２３４・・・ＬＥＤ
３１０・・・メイン制御基板３１０
３２０・・・サブ制御基板
【図１】
2014008219.tif 000003
【図２】
2014008219.tif 000004
【図３】
2014008219.tif 000005
【図４】
2014008219.tif 000006
【図５】
2014008219.tif 000007
【図６】
2014008219.tif 000008
【図７】
2014008219.tif 000009
【図８】
2014008219.tif 000010
【図９】
2014008219.tif 000011
【図１０】
2014008219.tif 000012
【図１１】
2014008219.tif 000013
【図１２】
2014008219.tif 000014
【図１３】
2014008219.tif 000015
【図１４】
2014008219.tif 000016